(57)【要約】【課題】多くの街路樹を効率的に管理することができるようにする。【解決手段】測位部５４によって、管理対象となる街路樹の植樹位置に対応する位置で計測したGPS計測結果を取得する。撮像部５６によって、管理対象となる街路樹を撮像した街路樹画像を取得する。表示部６２によって、管理対象となる街路樹に関する各種情報を受け付ける。街路樹エントリ作成部７２によって、GPS計測結果を主キーとし、街路樹画像、及び街路樹に関する各種情報を含むエントリを作成して、通信部５８により、街路樹管理台帳データベースを有する街路樹管理装置へ送信する。【選択図】図２
2019075049.tif 000002
【特許請求の範囲】
【請求項１】
街路樹の植樹位置に対応する位置で計測したGPS計測結果を主キーとし、
前記街路樹を撮像した街路樹画像、及び前記街路樹に関する各種情報を含むエントリを街路樹毎に格納した街路樹管理台帳データベース
を含む街路樹管理装置。
【請求項２】
地形地図上において、街路樹の主キーであるＧＰＳ計測結果に対応する位置に、前記街路樹の街路樹情報を付与したマップを作成するマップ作成部を更に含む請求項１記載の街路樹管理装置。
【請求項３】
前記エントリの各種情報は、前記GPS計測結果を示す登録番号、基本情報、樹木形状に関する情報、活力状況に関する情報、及び植栽環境に関する情報を含む請求項１又は２記載の街路樹管理装置。
【請求項４】
管理対象となる街路樹の植樹位置に対応する位置で計測したGPS計測結果を取得する位置取得部と、
前記管理対象となる街路樹を撮像した街路樹画像を取得する画像取得部と、
前記管理対象となる街路樹に関する各種情報を受け付ける情報受付部と、
前記GPS計測結果を主キーとし、前記街路樹画像、及び前記街路樹に関する各種情報を含むエントリを作成して、街路樹管理台帳データベースを有する街路樹管理装置へ送信する送信部と、
を含む携帯情報端末。
【請求項５】
地形地図上において、街路樹の主キーであるＧＰＳ計測結果に対応する位置に、前記街路樹の街路樹情報を付与したマップを取得するマップ取得部と、
前記マップを表示部に表示させ、前記マップ上の前記街路樹情報を選択する操作を受け付けたときに、選択された前記街路樹情報に対応する前記エントリの各種情報を表示した画面を前記表示部に表示させる表示制御部と、
を更に含む請求項４記載の携帯情報端末。
【請求項６】
請求項１〜請求項３の何れか１項記載の街路樹管理装置と、
請求項４又は５記載の携帯情報端末と、
を含む街路樹管理システム。
【発明の詳細な説明】
【技術分野】
【０００１】
本発明は、街路樹管理装置、携帯情報端末、及び街路樹管理システムに関する。
【背景技術】
【０００２】
従来より、樹木診断カルテによる樹木診断の総合的管理システムが知られている（特許文献１）。樹木診断カルテは、“文字データ書込枠”と“イメージデータ書込枠”から構成されており、樹木の位置を指定するのは、“基礎的項目”の“存在番地”である。
【０００３】
また、電柱やケーブルなどの架設設備を管理する際に、その付近に存在する樹木の状態も合わせて管理することが可能な架設設備管理装置が知られている（特許文献２）。
【先行技術文献】
【特許文献】
【０００４】
【特許文献１】特許第０３７４１１７４号公報
【特許文献２】特許第０４６３０１６２号公報
【発明の概要】
【発明が解決しようとする課題】
【０００５】
しかしながら、上記特許文献１に記載の技術では、位置情報が住所（番地）のため、管理できる樹木に限りがある。また、上記特許文献２に記載の技術では、架線の間の樹木しか管理できない。
【０００６】
本発明は、上記の事情に鑑みてなされたもので、多くの街路樹を効率的に管理することができる街路樹管理装置、携帯情報端末、及び街路樹管理システムを提供することを目的とする。
【課題を解決するための手段】
【０００７】
上記の目的を達成するために本発明に係る街路樹管理装置は、街路樹の植樹位置に対応する位置で計測したGPS計測結果を主キーとし、前記街路樹を撮像した街路樹画像、及び前記街路樹に関する各種情報を含むエントリを街路樹毎に格納した街路樹管理台帳データベースを含んで構成されている。
【０００８】
本発明に係る街路樹管理装置によれば、街路樹管理台帳データベースには、街路樹の植樹位置に対応する位置で計測したGPS計測結果を主キーとし、前記街路樹を撮像した街路樹画像、及び前記街路樹に関する各種情報を含むエントリが街路樹毎に格納されている。
【０００９】
このように、街路樹の植樹位置に対応する位置で計測したGPS計測結果を主キーとして街路樹毎にエントリをデータベースに格納することにより、多くの街路樹を効率的に管理することができる。
【００１０】
本発明に係る街路樹管理装置は、地形地図上において、街路樹の主キーであるＧＰＳ計測結果に対応する位置に、前記街路樹の街路樹情報を付与したマップを作成するマップ作成部を更に含むことができる。
【００１１】
また、前記エントリの各種情報は、前記GPS計測結果を示す登録番号、基本情報、樹木形状に関する情報、活力状況に関する情報、及び植栽環境に関する情報を含むことができる。
【００１２】
本発明に係る携帯情報端末は、管理対象となる街路樹の植樹位置に対応する位置で計測したGPS計測結果を取得する位置取得部と、前記管理対象となる街路樹を撮像した街路樹画像を取得する画像取得部と、前記管理対象となる街路樹に関する各種情報を受け付ける情報受付部と、前記GPS計測結果を主キーとし、前記街路樹画像、及び前記街路樹に関する各種情報を含むエントリを作成して、街路樹管理台帳データベースを有する街路樹管理装置へ送信する送信部と、を含んで構成されている。
【００１３】
本発明に係る携帯情報端末によれば、位置取得部によって、管理対象となる街路樹の植樹位置に対応する位置で計測したGPS計測結果を取得する。画像取得部によって、前記管理対象となる街路樹を撮像した街路樹画像を取得する。そして、情報受付部によって、前記管理対象となる街路樹に関する各種情報を受け付ける。
【００１４】
そして、送信部によって、前記GPS計測結果を主キーとし、前記街路樹画像、及び前記街路樹に関する各種情報を含むエントリを作成して、街路樹管理台帳データベースを有する街路樹管理装置へ送信する。
【００１５】
このように、管理対象となる街路樹の植樹位置に対応する位置で計測したGPS計測結果を取得し、GPS計測結果を主キーとしてエントリを作成し、街路樹管理台帳データベースを有する街路樹管理装置へ送信することにより、多くの街路樹を効率的に管理することができる。
【００１６】
本発明に係る携帯情報端末は、地形地図上において、街路樹の主キーであるＧＰＳ計測結果に対応する位置に、前記街路樹の街路樹情報を付与したマップを取得するマップ取得部と、前記マップを表示部に表示させ、前記マップ上の前記街路樹情報を選択する操作を受け付けたときに、選択された前記街路樹情報に対応する前記エントリの各種情報を表示した画面を前記表示部に表示させる表示制御部と、を更に含むことができる。
【００１７】
本発明に係る街路樹管理システムは、上記の街路樹管理装置と、上記の携帯情報端末と、を含んで構成されている。
【発明の効果】
【００１８】
以上説明したように、本発明の街路樹管理装置、携帯情報端末、及び街路樹管理システムによれば、多くの街路樹を効率的に管理することができる、という効果が得られる。
【図面の簡単な説明】
【００１９】
【図１】本発明の実施の形態に係る街路樹管理システムを示すブロック図である。
【図２】本発明の実施の形態に係る携帯情報端末を示すブロック図である。
【図３】本発明の実施の形態に係る街路樹管理装置を示すブロック図である。
【図４】街路樹エントリの項目の一例を示す図である。
【図５】街路樹マップの一例を示す図である。
【図６】本発明の実施の形態に係る携帯情報端末における街路樹情報作成処理ルーチンの内容を示すフローチャートである。
【図７】本発明の実施の形態に係る街路樹管理装置における街路樹管理処理ルーチンの内容を示すフローチャートである。
【図８】本発明の実施の形態に係る携帯情報端末における街路樹マップ表示処理ルーチンの内容を示すフローチャートである。
【図９】街路樹エントリを表示する画面のイメージ図である。
【発明を実施するための形態】
【００２０】
以下、図面を参照して、本発明の実施の形態について説明する。
【００２１】
＜街路樹管理システムのシステム構成＞
図１に示すように、本発明の実施の形態に係る街路樹管理システム１００は、街路樹管理装置１０と、携帯情報端末５０とを備え、携帯情報端末５０と街路樹管理装置１０とは、インターネットなどのネットワーク７０で接続されている。
【００２２】
携帯情報端末５０は、携帯電話、ＰＤＡ（Personal Digital Assistants）端末、あるいはノート型・ブック型コンピュータ端末等からなる。なお、携帯情報端末５０を、スマートフォンを一例として以下、説明する。携帯情報端末５０は、図２に示すように、測位部５４と、撮像部５６と、通信部５８と、制御部６０と、表示部６２とを含んで構成されている。なお、測位部５４が、位置取得部の一例であり、撮像部５６が、画像取得部の一例であり、表示部６２が、情報受付部の一例であり、制御部６０及び通信部５８が、送信部の一例である。
【００２３】
測位部５４は、ＧＰＳにより自端末の位置を測定し、測位結果を制御部６０へ出力する。例えば、GPS観測により取得した位置データと、受信して得られた基準局が観測した位相データをリアルタイムで解析することにより、自端末の位置データを数cmの誤差で疎測定する。撮像部５６は、画像を撮像して、制御部６０へ出力する。通信部５８は、ネットワーク７０を介した通信を行う。
【００２４】
表示部６２は、例えば、タッチパネルディスプレイからなり、所定の街路樹情報入力画面を表示するだけでなく、後述する街路樹マップや街路樹情報表示画面を表示する。また、表示部６２により、ユーザからの街路樹情報等を入力する。
【００２５】
制御部６０は、ＣＰＵ、ＲＯＭ、ＲＡＭ、及びＨＤＤを備えたコンピュータで構成されており、ＨＤＤには、後述する街路樹情報作成処理ルーチン及び街路樹マップ表示処理ルーチンを含むアプリケーションソフトが記憶されている。制御部６０は、機能的には次に示すように構成されている。制御部６０は、街路樹エントリ作成部７２、街路樹マップ取得部７４、街路樹エントリ取得部７６、及び表示制御部７８を備えている。
【００２６】
街路樹エントリ作成部７２は、管理対象となる街路樹の植樹位置に対応する位置で測位部５４により計測した測位結果を取得する。また、街路樹エントリ作成部７２は、管理対象となる街路樹を撮像部５６により撮像した街路樹画像を取得する。街路樹エントリ作成部７２は、表示部６２により入力された、管理対象となる街路樹に関する各種情報を受け付ける。
【００２７】
街路樹エントリ作成部７２は、ＧＰＳによる測位結果を主キーとし、街路樹画像、及び街路樹に関する各種情報を含むエントリを作成して、街路樹管理装置１０へ送信する。
【００２８】
街路樹マップ取得部７４は、街路樹管理装置１０から送信された、後述する街路樹マップを取得する。
【００２９】
街路樹エントリ取得部７６は、街路樹マップ上の街路樹情報を選択する操作を表示部６２により受け付けたときに、当該街路樹情報に対応する街路樹エントリの情報を街路樹管理装置１０に対して要求し、街路樹管理装置１０から送信された、後述する街路樹エントリの各種情報を取得する。
【００３０】
表示制御部７８は、街路樹マップを表示部６２に表示させる。また、表示制御部７８は、街路樹マップ上の街路樹情報を選択する操作を受け付けたときに、選択された街路樹情報に対応する街路樹エントリの各種情報を表示した画面を表示部６２に表示させる。
【００３１】
街路樹管理装置１０は、例えば、サーバで構成され、街路樹管理装置１０は、ＣＰＵと、ＲＡＭと、後述する街路樹管理処理ルーチンを実行するためのプログラムを記憶したＲＯＭとを備え、機能的には次に示すように構成されている。図３に示すように、街路樹管理装置１０は、通信部１２と、街路樹エントリ登録部１４と、街路樹管理台帳データベース１６と、地形データベース１８と、街路樹マップ作成部２０と、街路樹エントリ取得部２２とを備えている。
【００３２】
通信部１２は、ネットワーク７０を介した通信を行う。
【００３３】
街路樹エントリ登録部１４は、携帯情報端末５０から送信された街路樹エントリを取得し、街路樹の植樹位置に対応する位置で計測したGPS計測結果を主キーとし、街路樹を撮像した街路樹画像、及び街路樹に関する各種情報を含む街路樹エントリを、街路樹管理台帳データベース１６に登録する。
【００３４】
街路樹管理台帳データベース１６は、街路樹の植樹位置に対応する位置で計測したGPS計測結果を主キーとし、街路樹を撮像した街路樹画像、及び街路樹に関する各種情報を含む街路樹エントリを、街路樹毎に記憶している。
【００３５】
街路樹エントリの項目には、図４に示すように、『登録番号』、『基本情報』、『樹木形状』、『活力状況』、『植栽環境』、『備考』が含まれる。
【００３６】
ここで、『登録番号』は、管理対象とする街路樹の極近傍でGPS観測により取得した位置情報である。このように、GPS観測により取得した位置情報を用いて、管理対象となる各々の街路樹に「登録番号」を割り振る。
【００３７】
例えば、上述したように、携帯情報端末５０の測位部５４により、目的とする街路樹の極近傍でGPS観測により取得した位置データと、受信して得られた基準局が観測した位相データをリアルタイムで解析することにより、観測点の位置データは数cmの誤差で測定される。対象とする高木（3m以上）の街路樹は、数メートル以上の間隔で植栽されているため、各々の街路樹の位置情報は一意に決定される。
【００３８】
『基本情報』は、８つの項目「路線名」、「樹種名」、「植栽年」、「管理履歴」、「障害履歴」、「樹木価値」、「前回調査日時」、「全景写真」を有している。
【００３９】
「路線名」には、当該エントリ街路樹の植栽されている道路の路線名が記録される。「樹種名」には、当該エントリ街路樹の樹種名が記録される。「植栽年」には、当該エントリ街路樹の植栽された年が記録される。「管理履歴」には、例えば、当該エントリ街路樹の剪定等の管理状況が記録される。「障害履歴」には、例えば、当該エントリ街路樹の倒伏・落枝等の履歴が記録される。「樹木価値」には、例えば、当該エントリ街路樹が有するシンボル、緑陰、遮へい等の明確な機能が記録される。
【００４０】
「前回調査日時」には、当該エントリ街路樹において、過去に生育状況調査を行っている場合の調査日時が記録される。「全景写真」には、当該エントリ街路樹の生育状況を示した写真のデジタルデータが撮影日時と共に記録される。
【００４１】
『樹木形状』は、８つの項目「樹高」、「幹周」、「枝張り」、「枝下高」、「根元周」、「樹木の傾き」、「樹齢」、「樹冠形状」を有している。
【００４２】
「樹高」には、当該エントリ街路樹の高さが記録される。「幹周」には、当該エントリ街路樹の樹木の幹の周囲寸法が記録される。「枝張り」には、当該エントリ街路樹の樹木の四方面に伸長した枝（葉）の幅が、車道側と歩道側に分けて記録される。「枝下高」には、当該エントリ街路樹の根元から力枝（ちからえだ＝樹冠で最も長大な枝のこと）までの樹幹の長さが記録される。「根元周」には、当該エントリ街路樹の立木の根元部分の直径が記録される。
【００４３】
「樹木の傾き」には、街路樹ごとに予め付与される街路樹の樹木の傾き情報が記録される。例えば「１：傾き・無」、「２：傾き・有[安全]」、「３：傾き・有[危険]」等のように予め状態ごとに番号を付与し、当該番号が「樹木の傾き」の項目に記録される。
【００４４】
「樹齢」は、さらに２つの項目「年齢」、「時期」を有している。「年齢」には、当該エントリ街路樹の年齢が記録される。「時期」には、街路樹ごとに予め付与される街路樹の年齢の段階が記録される。例えば「１：若木」、「２：成木」、「３：老木」等のように予め時期ごとに番号を付与し、当該番号が「時期」の項目に記録される。
【００４５】
「樹冠形状」には、街路樹ごとに予め付与される街路樹の樹冠形状の情報が記録される。例えば「１：自然樹形」、「２：自然相似樹形」、「３：人工樹形」等のように予め形状ごとに番号を付与し、当該番号が「樹冠形状」の項目に記録される。
【００４６】
『活力状況』は、５つの項目「樹勢」、「葉の生育状況」、「傷口材の成長」、「病害」、「虫害」を有している。
【００４７】
「樹勢」には、街路樹ごとに予め付与される街路樹の生育状況の情報が記録される。例えば「１：良い」。「２：普通」、「３：少し悪い」、「４：悪い」、「５：枯死」等のように予め状態ごとに番号を付与し、当該番号が「樹勢」の項目に記録される。
【００４８】
「葉の生育状況」には、街路樹ごとに予め付与される街路樹の葉の生育状況の情報が記録される。例えば「１：良い」、「２：普通」、「３：少し悪い」、「４：悪い」、「５：枯死」等のように予め状況ごとに番号を付与し、当該番号が「葉の生育状況」の項目に記録される。
【００４９】
「傷口材の成長」には、当該エントリ街路樹における病患部を削り取った後の傷口の成長状態の情報が記録される。例えば「０：無し」、「１：良い」、「２：普通」、「３：少し悪い」、「４：悪い」等のように予め状態ごとに番号を付与し、当該番号が「傷口材の成長」の項目に記録される。
【００５０】
「病害」は、さらに２つの項目「病害」、「病名」を有している。「病害」には、街路樹ごとに予め付与される街路樹の病害の有り無しの情報が記録される。例えば「０：無し」「１：有り」等のように予め状態ごとに番号を付与し、当該番号が「病害」の項目に記録される。「病名」には、「病害」が有りと判定された場合に限り、病名の情報が記録される。
【００５１】
「虫害」は、さらに２つの項目「虫害」、「虫名」を有している。「虫害」には、街路樹ごとに予め付与される街路樹の虫害の有り無しの情報が記録される。例えば「０：無し」「１：有り」等のように予め状態ごとに番号を付与し、当該番号が「虫害」の項目に記録される。「虫名」には、「虫害」が有りと判定された場合に限り、虫名の情報が記録される。
【００５２】
『植栽環境』は、２つの項目「植栽地」、「周辺環境」を有している。
【００５３】
「植栽地」は、さらに３つの項目「植栽地の種類」、「保護材」、「根上り」を有している。
【００５４】
「植栽地の種類」には、街路樹ごとに予め付与される街路樹が植栽された土地の種類の情報が記録される。例えば「１：植樹帯」、「２：植樹枡」、「３：緑地帯」、「４：中央分離帯」、「５：道路のり面」等のように予め土地の種類ごとに番号を付与し、当該番号が「植栽地の種類」の項目に記録される。
【００５５】
「保護材」は、さらに２つの項目「保護材」、「保護材の状態」を有している。「保護材」には、街路樹ごとに予め付与される街路樹の保護材の有り無しの情報が記録される。例えば「０：無し」「１：有り」等のように予め状態ごとに番号を付与し、当該番号が「保護材」の項目に記録される。「保護材の状態」には、「保護材」が有りと判定された場合に限り、保護材の状態の情報が記録される。例えば「１：良好」、「２：支柱の破損」、「３：樹冠への食い込み」、「４：結束不良」、「５：踏圧防止板の破損」、「６：根株の巻き込み」等のように予め保護材の状態ごとに番号を付与し、当該番号が「保護材の状態」の項目に記録される。
【００５６】
「根上り」は、さらに２つの項目「根上り」、「根上り被害」を有している。「根上り」には、街路樹ごとに予め付与される街路樹の根上りの有り無しの情報が記録される。例えば「０：無し」「１：有り」等のように予め番号を付与し、当該番号が「根上り」の項目に記録される。「根上り被害」には、「根上り」が有りと判定された場合に限り、根上りの被害の情報が記録される。例えば「１：縁石の不陸」、「２：踏圧防止板の不陸」、「３：舗装の不陸」、「４：隣接構造物との接触」等のように予め被害の種類ごとに番号を付与し、当該番号が「根上り被害」の項目に記録される。
【００５７】
「周辺環境」は、さらに３つの項目「土地利用状況」、「気象による影響」、「近接の設置物」を有している。
【００５８】
「土地利用状況」には、街路樹ごとに予め付与される街路樹の植栽された周辺の土地利用状況の情報が記録される。例えば「１：住居地域」、「２：商業地域」、「３：工業地域」、「４：農漁村地域」、「５：自然（観光）地域」等のように予め土地利用状況ごとに番号を付与し、当該番号が「土地利用状況」の項目に記録される。
【００５９】
「気象による影響」には、街路樹ごとに予め付与される街路樹の植栽された地域が影響を受けやすい気象の情報が記録される。例えば「１：平地（季節風）」、「２：海岸地（潮風）」、「３：ビル街（ビル風）」、「４：積雪地（降雪）」、「５：台風襲来が多い地域」等のように予め影響が想定される気象ごとに番号を付与し、当該番号が「気象による影響」の項目に記録される。
【００６０】
「近接の設置物」は、さらに２つの項目「近接の設置物」、「設置物の種類」を有している。「近接の設置物」には、街路樹ごとに予め付与される近接の設置物の有り無しの情報が記録される。例えば「０：無し」「１：有り」等のように予め番号を付与し、当該番号が「近接の設置物」の項目に記録される。「設置物の種類」には、「近接の設置物」が有りと判定された場合に限り、設置物の種類の情報が記録される。例えば「１：信号機」、「２：標識」、「３：防護柵」、「４：道路照明」、「架空線」等のように設置物の種類ごとに番号を付与し、当該番号が「設置物の種類」の項目に記録される。
【００６１】
『備考』は、当該エントリ街路樹についてのコメント等の付加的な情報を記録する。
【００６２】
地形データベース１８は、地形地図を記憶している。
【００６３】
街路樹マップ作成部２０は、地形データベース１８に記憶されている地形地図上において、街路樹の主キーであるＧＰＳ計測結果に対応する位置に、街路樹の街路樹情報のリンクを付与した街路樹マップを作成する。また、街路樹マップ作成部２０は、携帯情報端末５０から送信された街路樹マップの要求を受け付けると、作成した街路樹マップを、通信部１２を介して携帯情報端末５０へ送信する。
【００６４】
例えば、図５に示すように、街路樹マップでは、地形地図上において、街路樹の主キーであるＧＰＳ計測結果に対応する位置に、街路樹の街路樹情報のリンクが付与されていることを示すマーク（図５の星印参照）が表示されている。
【００６５】
街路樹エントリ取得部２２は、携帯情報端末５０から送信された、選択された街路樹エントリの要求を受け付けると、当該街路樹エントリを、街路樹管理台帳データベース１６から取得して、通信部１２を介して携帯情報端末５０へ送信する。例えば、上記図５に示す街路樹マップの星印のマークが、携帯情報端末５０で選択されると、当該星印のマークに対応する街路樹エントリの要求が、携帯情報端末５０から送信される。
【００６６】
＜街路樹管理システム１００の動作＞
次に、本実施の形態に係る街路樹管理システム１００の動作について説明する。まず、街路樹管理担当者が、携帯情報端末５０を持って、管理対象となる街路樹の近傍にいるときに、街路樹管理担当者から街路樹情報作成処理を開始する指示が入力されると、携帯情報端末５０において、図６に示す街路樹情報作成処理ルーチンが実行される。
【００６７】
まず、ステップＳ１００において、測位部５４により、現在の自端末の位置を計測し、計測結果を、管理対象となる街路樹の植樹位置に対応する位置とする。
【００６８】
そして、ステップＳ１０２において、表示部６２に、管理対象となる街路樹を撮像するようにメッセージを表示させる。このとき、街路樹管理担当者が、撮像部５６による撮像範囲に、管理対象となる街路樹が含まれるように、携帯情報端末５０を街路樹に対してかざして、撮像部５６により、街路樹を撮像する。
【００６９】
そして、ステップＳ１０４において、街路樹に関する各種情報を入力させるための入力画面を表示部６２に表示させ、街路樹管理担当者による表示部６２の操作入力により、街路樹に関する各種情報を受け付ける。
【００７０】
ステップＳ１０６では、上記ステップＳ１００で得られたGPS計測結果を主キーとし、上記ステップＳ１０２で得られた街路樹画像、及び上記ステップＳ１０４で得られた街路樹に関する各種情報を含む街路樹エントリを作成して、街路樹管理装置１０へ送信して、街路樹情報作成処理ルーチンを終了する。
【００７１】
これにより、街路樹管理装置１０の街路樹管理台帳データベース１６に、GPS計測結果を主キーとし、街路樹画像、及び街路樹に関する各種情報を含む街路樹エントリが登録される。
【００７２】
街路樹管理装置１０の街路樹管理台帳データベース１６に、街路樹毎に、街路樹エントリが蓄積されると、街路樹管理装置１０において、図７に示す街路樹管理処理ルーチンが実行される。
【００７３】
まず、ステップＳ１２０において、地形データベース１８から地形地図を読み込む。そして、ステップＳ１２２において、１つの街路樹エントリを、街路樹管理台帳データベース１６から読み込む。
【００７４】
ステップＳ１２４では、上記ステップＳ１２０で取得した地形地図上において、街路樹の主キーであるＧＰＳ計測結果に対応する位置に、街路樹の街路樹情報のリンクを付与する。
【００７５】
ステップＳ１２６では、街路樹管理台帳データベース１６に記憶されている全ての街路樹エントリについて上記ステップＳ１２２〜Ｓ１２４の処理を実行したか否かを判定する。上記ステップＳ１２２〜Ｓ１２４の処理を実行していない街路樹エントリが存在する場合には、上記ステップＳ１２２へ戻る。
【００７６】
一方、上記ステップＳ１２２〜Ｓ１２４の処理を全ての街路樹エントリについて終了した場合には、最終的に上記ステップＳ１２４で得られたものを街路樹マップとする。そして、携帯情報端末５０から送信された街路樹マップの要求を受け付けると、作成した街路樹マップを、通信部１２を介して携帯情報端末５０へ送信し、街路樹管理処理ルーチンを終了する。
【００７７】
また、街路樹管理担当者が、携帯情報端末５０を操作して、街路樹マップの表示処理を開始する指示を入力すると、携帯情報端末５０において、図８に示す街路樹マップ表示処理ルーチンが実行される。
【００７８】
まず、ステップＳ１４０において、街路樹マップの要求を、通信部１２を介して街路樹管理装置１０へ送信し、街路樹管理装置１０から送信された街路樹マップを取得する。
【００７９】
そして、ステップＳ１４２において、上記ステップＳ１４０で取得した街路樹マップを表示部１２に表示させる。
【００８０】
ステップＳ１４４では、街路樹マップ上に付与された街路樹情報のリンクを選択する操作を受け付けたか否かを判定する。街路樹管理担当者が携帯情報端末５０を操作して、街路樹マップ上に付与された街路樹情報のリンクを選択すると、ステップＳ１４６へ進む。
【００８１】
ステップＳ１４６では、選択された街路樹情報に対応する街路樹エントリの要求を、通信部１２を介して街路樹管理装置１０へ送信し、街路樹管理装置１０から送信された街路樹エントリを取得する。
【００８２】
そして、ステップＳ１４８において、上記ステップＳ１４６で取得した街路樹エントリを表示部６２に表示させる。例えば、図９に示すように、選択された街路樹情報に対応する街路樹エントリの各項目を表す画面が、表示部６２に表示される。
【００８３】
ステップＳ１５０では、街路樹マップへの表示切替を指示する操作を受け付けたか否かを判定する。街路樹管理担当者が携帯情報端末５０を操作して、街路樹マップへの表示切替を指示すると、ステップＳ１４２へ進む。
【００８４】
以上説明したように、本発明の実施の形態に係る街路樹管理システムによれば、携帯情報端末により、管理対象となる街路樹の植樹位置に対応する位置で計測したGPS計測結果を取得し、GPS計測結果を主キーとしてエントリを作成し、街路樹毎にエントリを街路樹管理台帳データベースに格納することにより、多くの街路樹を効率的に管理することができる。
【００８５】
また、管理対象とする街路樹の極近傍でGPS観測により取得した位置情報を、管理対象となる各々の街路樹に割り振る「登録番号」とすることで、管理対象となる街路樹１本１本に対して、一意の「登録番号」を簡便に与えることができ、かつ、巡視の際に高い精度で街路樹を識別し、街路樹を１本ずつ管理することができる。
【００８６】
また、GPS観測により、各々の街路樹の位置情報は一意に決定されるため、携帯情報端末上で地形地図と連動した街路樹マップに街路樹を表示することが可能になる。
【００８７】
なお、本発明は、上述した実施形態に限定されるものではなく、この発明の要旨を逸脱しない範囲内で様々な変形や応用が可能である。
【符号の説明】
【００８８】
１０   街路樹管理装置
１２   通信部
１４   街路樹エントリ登録部
１６   街路樹管理台帳データベース
１８   地形データベース
２０   街路樹マップ作成部
２２   街路樹エントリ取得部
５０   携帯情報端末
５４   測位部
５６   撮像部
５８   通信部
６０   制御部
６２   表示部
７０   ネットワーク
７２   街路樹エントリ作成部
７４   街路樹マップ取得部
７６   街路樹エントリ取得部
７８   表示制御部
１００ 街路樹管理システム
【図１】
2019075049.tif 000003
【図２】
2019075049.tif 000004
【図３】
2019075049.tif 000005
【図４】
2019075049.tif 000006
【図５】
2019075049.tif 000007
【図６】
2019075049.tif 000008
【図７】
2019075049.tif 000009
【図８】
2019075049.tif 000010
【図９】
2019075049.tif 000011